(57)【特許請求の範囲】
【請求項１】
液体洗剤を入れる液体洗剤タンクと、液体洗剤に空気を混入して泡洗剤とする泡洗剤生成部と、泡洗剤生成部で生成された泡洗剤を出口部に供給するポンプとを備えた洗浄装置本体を浴槽の裏面に設置すると共に液体洗剤タンクの液体洗剤補給口部及び泡洗剤の出口部を浴室内に位置させた浴室洗浄装置において、上記浴槽裏面に設置した洗浄装置本体を断熱ケースで覆うと共に断熱ケースの底部を液漏れ受け部とし、断熱ケースの底部の液漏れ受け部に排液用孔部を設け、排液用孔部に連通した排出管の端部を浴室内に開口させて成ることを特徴とする浴室洗浄装置。
【請求項２】
断熱ケースの内側にヒータを設けて成ることを特徴とする請求項１記載の浴室洗浄装置。
【請求項３】
断熱ケースの底部の液漏れ受け部の下方に液受けパンを配置して成ることを特徴とする請求項１又は請求項２記載の浴室洗浄装置。
【発明の詳細な説明】
【技術分野】
【０００１】
本発明は、泡洗剤を吐出して浴室洗浄を行う浴室洗浄装置に関するものである。
【背景技術】
【０００２】
従来から、浴室内の一部を構成する浴槽を洗浄するための浴槽洗浄装置が例えば特許文献１により知られている。この特許文献１に示された浴槽洗浄装置は浴槽の裏面に設置され、浴槽内に湯水を供給する流路の一部に洗剤タンクに貯留した液体洗剤をポンプにより送り込み、これにより液体洗剤を含む湯水を浴槽内に吐出して浴槽を洗浄するようにしている。
【０００３】
ところが、上記の特許文献１に示された従来例にあっては、液体洗剤を湯水で希釈したものを吐出するもので、気泡を含む洗剤を吐出するものではなく、このため洗浄効果が低いという問題がある。
【０００４】
しかも、上記特許文献１に示された従来例にあっては、使用中に、万一浴槽洗浄装置が破損した場合、液体洗剤が漏れるという問題がある。液体洗剤が漏れると水漏れに比べてはるかに影響が大きく、住居の財産に被害を与えてしまう。
【０００５】
このため、従来にあっては、万一浴槽の裏面に設置した浴槽洗浄装置が破損して液体洗剤が漏れても建物側に漏れでないようにするには、洗い場用床パンに加え、更に浴槽を浴槽用床パン上に設置するいわゆるパンタイプ式の浴室とし、浴槽の裏面に設置した浴槽洗浄装置から漏れた液体洗剤を浴槽用床パンで受けるようにしなければならなかった。
【０００６】
つまり、洗い場用床パンだけがあり且つ浴槽用床パンが無いいわゆるハーフ床パン式の浴室においては、浴槽の裏面に設置した浴槽洗浄装置が破損して液体洗剤が漏れると、建物側に直接流れ、浴室が上階に設置してある場合、下階に液体洗剤が滴下し、住居の財産に被害を与える場合があるので、従来においてはハーフ床パン式の浴室に浴槽洗浄装置を設置するには上記のような問題が生じるおそれがある。
【０００７】
また、冬季において浴槽洗浄装置内の液体洗剤が凍結するおそれもあり、凍結した場合、解凍するまで一時的に使用できなくなるばかりでなく、液体洗剤の凍結による膨張によって配管部分の外れや破損が発生し、液体洗剤が流出するという問題がある。
【特許文献１】特開２００２−３７００５２号公報
【発明の開示】
【発明が解決しようとする課題】
【０００８】
本発明は上記の従来の問題点に鑑みて発明したものであって、浴室内を効果的に洗浄でき、しかも、浴槽の裏面に配置した洗浄装置本体から液体洗剤の漏れが発生しても、建物側に漏れ出すのを防止できると同時に冬季に液体洗剤が凍結するのを防止して液体洗剤が凍結して配管が破損することによる液体洗剤の漏れを防止できる浴室洗浄装置を提供することを課題とするものである。
【課題を解決するための手段】
【０００９】
上記課題を解決するために本発明に係る浴室洗浄装置は、液体洗剤１を入れる液体洗剤タンク２と、液体洗剤１に空気を混入して泡洗剤とする泡洗剤生成部３と、泡洗剤生成部３で生成された泡洗剤を出口部４に供給するポンプ５とを備えた洗浄装置本体６を浴槽７の裏面に設置すると共に液体洗剤タンク２の液体洗剤補給口部８及び泡洗剤の出口部４を浴室９内に位置させた浴室洗浄装置において、上記浴槽７の裏面に設置した洗浄装置本体６を断熱ケース１０で覆うと共に断熱ケース１０の底部を液漏れ受け部１１とし、断熱ケース１０の底部の液漏れ受け部１１に排液用孔部１４を設け、排液用孔部１４に連通した排出管１５の端部を浴室９内に開口させて成ることを特徴とするものである。
【００１０】
このような構成とすることで、出口部４から吐出される泡洗剤により浴室９内を効果的に洗浄できる。浴槽７の裏面に設置した洗浄装置本体６を断熱ケース１０で覆うので、冬季に液体洗剤１が凍結するのが防止でき、凍結することで膨張して配管等を破損して液体洗剤１が漏れるのを防止できる。しかも、万一、洗浄装置本体６から液体洗剤１が漏れたとしても、断熱ケース１０の底部が液漏れ受け部１１となっているので、漏れた液体洗剤１を断熱ケース１０の底部で受けることができる。また、液漏れ受け部１１で受けた液体洗剤１を排出管１５を介して浴室９内に排出できて建物側に液体洗剤１が流れ出ないようにできる。
【００１１】
また、断熱ケース１０の内側にヒータ１２を設けることが好ましい。
【００１２】
このような構成とすることで、冬季に氷点下になってもヒータ１２で加熱することでより液体洗剤１の凍結を確実に防止でき、しかも、断熱ケース１０で覆われている内部をヒータ１２で加熱するので、ヒータ１２に必要な消費電力を少なくできる。
【００１３】
また、断熱ケース１０の底部の液漏れ受け部１１の下方に液受けパン１３を配置することが好ましい。
【００１４】
このような構成とすることで、万一、断熱ケース１０から液体洗剤１が漏れたとしても、液受けパン１３により受けることできて、より確実に建物側に液体洗剤１が流れるのを防止できる。
【発明の効果】
【００１７】
本発明にあっては、上記のように構成したので、泡洗剤により浴室内を効果的に洗浄できる洗浄装置本体を浴槽の裏面側に配置したものにおいて、万一、液体洗剤が漏れても建物側に流れないようにでき、この結果、ハーフ床パン式の浴室において浴槽の裏面側に洗浄装置本体を設置しても漏液による建物側への被害が発生しないようにできる。また、断熱ケースにより洗浄装置本体を覆うので、液体洗剤が凍結するのを防止し、凍結による膨張で配管が破損して液体洗剤が漏れるという現象も防止できる。しかも、この液体洗剤の凍結防止をするための断熱ケースの底部がそのまま、液体洗剤が漏れた際の液漏れ受け部となっているので、構成が簡略化する。
【発明を実施するための最良の形態】
【００１８】
以下、本発明を添付図面に示す実施形態に基いて説明する。
【００１９】
浴室９に設置した浴槽７の裏面には洗浄装置本体６が設置してある。本実施形態では、図１に示すように浴室９としては洗い場用床パン３５だけがあり且つ浴槽用床パンが無いいわゆるハーフ床パン式の浴室９の例が示してある。
【００２０】
洗浄装置本体６は図２乃至図４に示すようなもので、液体洗剤１を入れる液体洗剤タンク２と、液体洗剤１に空気を混入して泡洗剤とする泡洗剤生成部３と、泡洗剤生成部３で生成された泡洗剤を出口部４に供給するポンプ５とを備えたものである。
【００２１】
泡洗剤生成部３は、液体洗剤タンク２とポンプ５との間を接続する接続管１６部分にエゼクターを設け、該エゼクター部分に空気管１７により空気が供給することで構成してあり、ポンプ５を運転することで液体洗剤タンク２内の液体洗剤１が吸引されてエゼクター部分を通過する際、空気が吸引されて液体洗剤１内に混入され、この結果空気を混合した液体洗剤（つまり泡洗剤）が生成されてポンプ５側に流れ、ポンプ５の下流側に接続した吐出管１８の先端に設けた出口部４に流すようになっている。
【００２２】
図中２１は本体固定板であり、本体固定板２１の一端部を上面側にコ字状に屈曲したコ字状片２２の先端部に上方に突設した固定片２３にポンプ５を収納したポンプケース２４の側面下端部を固定してあり、本体固定板２１に接続金具２５の一端部を固定し、更に接続金具２５の他端部を保持金具２６の下端部に固着具により固着し、更に、保持金具２６の上端部を、浴槽７のフランジ部１９の裏面側にフランジ部１９と一体に突設した取付けリブ２０にタッピングねじ等の固着具により固着することで浴槽７の裏面側に洗浄装置本体６を取付けてある。ここで、洗浄装置本体６の最下端であるポンプケース２４の下面と本体固定板２１との間には隙間２７が形成してある。
【００２３】
また、浴槽７のフランジ部１９には補給口部取付け孔と出口部取付け孔とが設けてあり、液体洗剤タンク２の上部に設けた液体洗剤補給口部８をフランジ部１９の補給口部取付け孔に装着してあると共に出口部４を出口部取付け孔に装着してある。フランジ部１９の上面側に露出する液体洗剤補給口部８にはキャップ３８が着脱自在に取付けられ、キャップ３８を外して液体洗剤補給口部８から液体洗剤１を液体洗剤タンク２に補給することができるようにしてある。補給される液体洗剤１としては市販の洗剤の原液を水で希釈したものが使用される。また、フランジ部１９の上面側に露出する出口部４にはキャップ２９が着脱自在に取付けられ、該キャップ２９を外すと、出口部４に先端に手で把持できる吐出ノズル４１を備えた可撓性の吐出ホース４０の後端のアダプターを着脱自在に取付けることができるようになっている。
【００２４】
上記のように浴槽７の裏面に取付けた洗浄装置本体６は発泡スチロールなどの断熱材よりなる断熱ケース１０により覆われる。
【００２５】
断熱ケース１０は発泡スチロールのような断熱材により形成してあり、図５の実施形態においては、左右一対の側部体３０と、前部体３１との３部材により構成してあり、上記３部材で洗浄装置本体６の上面を除く他の部分を覆う。洗浄装置本体６を覆った状態で、上記３部材の合わせ目は接着又は接着テープを貼り付けて水が漏らないように水密的に接合してある。
【００２６】
左右一対の側部体３０と、前部体３１の各上端部にはシール材、シールテープ等が設けてあり、洗浄装置本体６を前述のように浴槽７の裏面に取付けると共に断熱ケース１０の上端部は封水材や封水テープがフランジ部１９の裏面に圧着してシールされる。
【００２７】
前部体３１には孔４５が設けてあり、該孔４５には弾性を有する栓体（図示せず）が嵌め込んである。栓体にはスリット（図示せず）が設けてあり、この栓体のスリットにポンプ５への給電線や制御線等のコードが挿通してあり、栓体の弾性力によりスリットの縁がコードに密着して密閉性を確保するようになっている。
【００２８】
左右の側部体３０の下端部には底半部３０ａが設けてあって、左右の側部体３０の底半部３０ａをそれぞれポンプケース２４の下面と本体固定板２１との間の隙間２７に左右から嵌め込んで端部同士を接着してある。
【００２９】
断熱ケース１０の底部（左右の底半部３０ａを接着して構成してある）は液体洗剤１が漏れた際に液体洗剤１を受けるための液漏れ受け部１１となっており、図４、図５に示す実施形態では更にこの断熱ケース１０の底部の液漏れ受け部１１に排液用孔部１４が設けてある。
【００３０】
本体固定板２１には排出管１５の一端部が取付けてあり、排出管１５の上流側端部の液受け部３２に上記排液用孔部１４の下端部が嵌り込んで連通している。
【００３１】
排出管１５の下流側端部がエプロン３６を貫通して取付けてあって浴室９内に開口している。
【００３２】
また、断熱ケース１０内の底部のすぐ上位置にはヒータ１２が設けてある。
【００３３】
浴室９の壁には洗浄装置本体６のポンプ５やヒータ１２の制御を行うためのコントローラ（図示せず）が設けてある。
【００３４】
上記のような構成の浴室洗浄装置は、ポンプ５を運転することで、泡洗剤を出口部４側に送り、出口部４に接続した吐出ホース４０の先端の吐出ノズル４１から吐出させて、浴室９内の壁、天井、床パン、浴槽等に吹き付け、その後、付着した泡洗剤を水などで洗い流すことにより浴室９内の洗浄をするのである。
【００３５】
ところで、万一、洗浄装置本体６の配管あるいは配管接続部等が破損して液体洗剤１が漏れた場合、本発明においては断熱ケース１０の底部が液体洗剤１を受けるための液漏れ受け部１１となっているので、洗浄装置本体６から漏れた液体洗剤１は液漏れ受け部１１で受けられる。そして、添付図面に示す実施形態では液漏れ受け部１１に排液用孔部１４を設けてあって、該排液用孔部１４、排出管１５の上流側端部の液受け部３２を通って排出管１５の下流側の端部から浴室９内に排出される。したがって、漏れた液体洗剤１が建物側に流れ出すことがなく、住居の財産に被害を与えるというようなことがない。
【００３６】
また、浴槽７の裏面側に設置した洗浄装置本体６は断熱ケース１０により覆ってあるので、冬季に洗浄装置本体６内の液体洗剤１が凍結するのが防止され、液体洗剤１が凍結することによって一次的に使用できなくなるというような事態が生じないようにできると共に、液体洗剤１が凍結して膨張することによって配管が破損し、液体洗剤１が漏れるという事態を回避できる。
【００３７】
また、実施形態では断熱ケース１０の内側にヒータ１２を設けてあるので、冬季に氷点下になってもヒータ１２で加熱することでより液体洗剤１の凍結をよりいっそう確実に防止でき、しかも、断熱ケース１０で覆われている内部をヒータ１２で加熱するので、ヒータ１２に必要な消費電力を少なくできることになる。
【００３８】
上記のように洗浄液が漏れても建物側に被害を及ぼさないようにできるので、ハーフ床パン式の浴室９における浴槽７の裏面側に洗浄装置本体６を配設することが可能となる。もちろん、本発明において洗い場用床パンに加え、更に浴槽を浴槽用床パン上に設置するいわゆるパンタイプ式の浴室においても適用できる。
【００３９】
図６には本発明の他の実施形態が示してある。本実施形態においては、断熱ケース１０の底部の液漏れ受け部１１の下方に液受けパン１３を配置してある。該液受けパン１３は本体固定板２１又は接続金具２５に取付ける。
【００４０】
本実施形態では、液受けパン１３に排出管１５の一端部が取付けてあり、排出管１５の上流側端部の液受け部３２に上記排液用孔部１４の下端部が嵌り込んで連通しており、排出管１５の下流側端部がエプロン３６を貫通して取付けてあって浴室９内に開口している。
【００４１】
本実施形態において、洗浄装置本体６から液体洗剤１が漏れると液漏れ受け部１１で受け、排液用孔部１４、排出管１５の上流側端部の液受け部３２を通って排出管１５の下流側の端部から浴室９内に排出される。
【００４２】
そして、万一、断熱ケース１０から液体洗剤１が漏れた場合は、液受けパン１３により受けて排出管１５の上流側端部の液受け部３２を通って排出管１５の下流側の端部から浴室９内に排出される。
【００４３】
したがって、断熱ケース１０の底部である液漏れ受け部１１と、その下方の液受けパン１３により２重に液漏れに対して対処でき、より確実に建物側に液体洗剤１が流れるのを防止できる。
【図面の簡単な説明】
【００４４】
【図１】本発明の斜視図である。
【図２】同上の浴槽洗浄装置の斜視図である。
【図３】同上の浴槽洗浄装置を反対方向から見た斜視図である。
【図４】同上の断熱ケースで覆った状態の破断斜視図である。
【図５】同上の断熱ケースの分解斜視図である。
【図６】本発明の他の実施形態を示す概略正面図である。
【符号の説明】
【００４５】
１  液体洗剤
２  液体洗剤タンク
３  泡洗剤生成部
４  出口部
５  ポンプ
６  洗浄装置本体
７  浴槽
８  液体洗剤補給口部
９  浴室
１０  断熱ケース
１１  液漏れ受け部
１２  ヒータ
１３  液受けパン
１４  排液用孔部
１５  排出管
【図１】
0005144372.tif 000002
【図２】
0005144372.tif 000003
【図３】
0005144372.tif 000004
【図４】
0005144372.tif 000005
【図５】
0005144372.tif 000006
【図６】
0005144372.tif 000007